(57)【要約】【課題】ガソリンスタンドやロードサイド事業店舗等における広告媒体並びに道路標識として新規なのぼり旗を提供すること。【解決手段】本発明にかかるのぼり旗１は、旗本体１１と、文字部２１と、反射部２２と、を備える。文字部２１は、広告やサービス内容を伝える文字を構成する。文字部２１は、旗本体１１に印刷される。反射部２２は、光を反射する反射材を含む。反射部２２は、旗本体１１に印刷される。のぼり旗１は、旗本体１１全体を防炎液に浸漬することにより、防炎加工が施されている。【選択図】図１
2015152849.tif 000002
【特許請求の範囲】
【請求項１】
基材と、
前記基材に印刷された文字部と、
光を反射する反射材を含み、前記基材に印刷された反射部と、を備え、
印刷が施された前記基材全体を防炎液に浸漬することにより防炎加工されたのぼり旗。
【請求項２】
前記反射部は、前記文字部の周囲に沿って印刷されている請求項１に記載ののぼり旗。
【請求項３】
前記のぼり旗に日光が照射された状態において、
前記基材と前記反射部とは、略同一色であり、
前記基材と前記文字部とは、異なる色である請求項１または２に記載ののぼり旗。
【請求項４】
前記反射部の外周に印刷された影部をさらに備える請求項１〜３のいずれか一項に記載ののぼり旗。
【請求項５】
前記基材は、織物、編物、及び不織布の群から少なくとも一つが選択される平面状基材であり、
前記反射部は、再帰反射性を有する請求項１〜４のいずれか一項に記載ののぼり旗。
【発明の詳細な説明】
【技術分野】
【０００１】
本発明は、のぼり旗に関する。
【背景技術】
【０００２】
道路沿いのガソリンスタンドでは、ガソリンスタンドにおいて提供されているサービスの広告やサービス内容を記載したのぼり旗が設置されている。このようなのぼり旗は、道路を走行する車の運転手に認識してもらうために、目立つデザインや形状のものが採用されている。
【０００３】
例えば、特許文献１には、旗本体や旗竿の上部が半円形状であるのぼり旗が開示されている。このような形状にすることによって、運転手ののぼり旗に対する注意を惹きやすくしている。
【先行技術文献】
【特許文献】
【０００４】
【特許文献１】特開２０１３−３３９８号公報
【発明の概要】
【発明が解決しようとする課題】
【０００５】
しかしながら、夜間閉店後のガソリンスタンドにおいては、ガソリンスタンドの照明が消灯しているため、運転手がのぼり旗の存在に気が付かないことが多い。そのため、夜間閉店後においては、のぼり旗が広告として機能していないという問題があった。
【０００６】
一方、夜間閉店後においても、ガソリンスタンドの照明を点灯したままにしておくことにより、のぼり旗の存在を運転手に知らせることができるが、電気代コストがかかってしまう。
【０００７】
本発明は、このような問題を解決するためになされたものであり、ガソリンスタンドやロードサイド事業店舗等における広告媒体並びに道路標識として新規なのぼり旗を提供することを目的としている。
【課題を解決するための手段】
【０００８】
本発明の一態様にかかるのぼり旗は、基材と、前記基材に印刷された文字部と、光を反射する反射材を含み、前記基材に印刷された反射部と、を備え、印刷が施された前記基材全体を防炎液に浸漬することにより防炎加工されたものである。
【発明の効果】
【０００９】
本発明により、ガソリンスタンドやロードサイド事業店舗等における広告媒体並びに道路標識として新規なのぼり旗を提供することができる。
【図面の簡単な説明】
【００１０】
【図１】実施の形態にかかるのぼり旗の外観図である。
【図２】実施の形態にかかるのぼり旗の断面図である。
【図３】実施の形態にかかるのぼり旗の製造方法を示すフローチャートである。
【発明を実施するための形態】
【００１１】
以下、図面を参照して本発明の実施の形態について説明する。
【００１２】
＜のぼり旗１の構成＞
本実施の形態にかかるのぼり旗１の外観図を図１に示す。のぼり旗１は、旗本体１１と、チチ部１２と、を備える。旗本体１１（基材）は、例えば、綿やポリエステル、その他合成繊維等の素材から形成される織物、編物、及び不織布等である。チチ部１２は、旗本体１１の外周に沿って、所定の間隔を空けて設けられている。チチ部１２は、図示しない旗棒が挿通される部分であり、旗棒に旗本体１１を固定する。
【００１３】
旗本体１１には、任意の文字や絵等が印刷される。任意の文字は、例えば、広告やサービス内容等の情報を示す。図１に示した例においては、旗本体１１に「ＸＹＺ」の文字が印刷されている。旗本体１１に印刷された文字は、文字部２１と、反射部２２と、影部２３と、を含んでいる。
【００１４】
文字部２１は、昼間において運転手や歩行者に対して文字を視認させる部分である。文字部２１は、例えば、旗本体１１とは異なる色のインクで印刷されており、日光が照射された状態において、旗本体１１とは異なる色として運転手等に識別される。これにより、運転手等は、旗本体１１に印刷された文字を認識する。
【００１５】
反射部２２は、文字部２１の周囲に形成されている。なお、図１においては、反射部２２の領域を明確にするために反射部２２を点線で囲っているが、実際には、点線は印刷されていない。反射部２２は、文字部２１の線の幅よりも細い幅で形成されている。また、反射部２２は、旗本体１１と略同一の色の反射インクで印刷されており、日光が照射された状態において、旗本体１１と略同一の色として運転手等に認識される。そのため、昼間においては、反射部２２の存在は、文字部２１の認識に影響を与えない。反射部２２は、例えば、反射効率の高い白色であり、文字部２１の視認性を高めるために、旗本体１１も白色であることが好ましい。
【００１６】
影部２３は、反射部２２の外周の一部に形成されている。図１においては、影部２３は、反射部２２の右側及び下側に形成されている。このように、文字部２１の周囲から反射部２２の幅だけ間隔を空けて影部２３を形成することにより、昼間においては、文字部２１が浮き上がって見え、運転手等の注意を惹くことができる。影部２３は、例えば、黒色や灰色等の暗い色のインクで印刷されている。
【００１７】
次に、のぼり旗１の断面構成について説明する。図２は、図１のII−II線の断面図である。旗本体１１の表面に影部２３のインク層が形成されている。また、影部２３のインク層の表面に、文字部２１のインク層が形成されている。また、文字部２１のインク層の表面に、反射部２２のインク層が形成されている。なお、図２に示した層構造は一例に過ぎず、文字部２１、反射部２２、及び、影部２３が、必ずしも図２のように重なっていなくてもよい。
【００１８】
さらに、のぼり旗１の全体が、防炎部２４に覆われている。具体的には、防炎部２４の層が、旗本体１１の表面を覆うように形成されている。また、防炎部２４の層が、文字部２１、反射部２２、及び影部２３のインク層を覆っている。旗本体１１の両端部（図２の左右方向の端部）は、防炎部２４の層の形成後にカットされるため、旗本体１１の両端部には防炎部２４の層が形成されていないが、両端部にも防炎部２４の層が形成されていてもよい。
【００１９】
なお、防炎部２４による被覆は、インク層や旗本体１１の表面に被膜を形成するように行われてもよいし、旗本体１１表面に浸み込むことにより行われてもよい。
【００２０】
＜のぼり旗１の製造方法＞
続いて、本実施の形態にかかるのぼり旗１の製造方法について説明する。のぼり旗１の製造方法を説明するためのフローチャートを図３に示す。
【００２１】
まず、旗本体１１に、文字部２１及び影部２３を形成するインクを印刷する（ステップＳ１０１）。このとき、インクの印刷は、例えば、濃い色から順に行われ、影部２３が先に印刷され，その後、文字部２１が印刷される。また、インクの印刷は、例えば、文字部２１や影部２３の型を有するスクリーン版を用いて行われる。
【００２２】
文字部２１及び影部２３のインクの印刷が終わると、反射部２２を形成する反射インクを印刷する（ステップＳ１０２）。つまり、反射部２２の層は、文字部２１や影部２３よりも外側に形成される。反射インクの印刷も通常と同様に、例えば、反射部２２の型を有するスクリーン版を用いて行われる。
【００２３】
このとき用いられる反射インクには、ガラスビーズが混入されていることが好ましい。これにより、反射部２２において、再帰反射が起こる。なお、再帰反射とは、光源に向けて選択的に光が反射することを意味する。のぼり旗１は、織物、編物、及び不織布等であり、風を受けてなびくため、自動車のヘッドライトからの光の向きに対するのぼり旗１の表面角度は常に変化している。そのため、反射部２２が鏡面反射や乱反射を起こす場合、のぼり旗１が受けた光を、自動車（運転手）側に反射させることが困難となる。これに対して、反射部２２が再帰反射を起こす場合、のぼり旗１の表面角度にかかわらず、のぼり旗１が受けた光を自動車（運転手）側に反射させることができ、運転手の注意を強く惹くことができる。なお、必ずしも再帰反射の起こる反射インクを用いる必要はなく、他の反射インクでもよい。
【００２４】
反射部２２の反射インクの印刷が終わると、印刷された旗本体１１全体を防炎液に浸漬する（ステップＳ１０３）。これにより、文字部２１、反射部２２、影部２３、及び旗本体１１の表面に防炎液が付着する。
【００２５】
その後、表面に防炎液が付着した旗本体１１を乾燥させる（ステップＳ１０４）。これにより、防炎液が旗本体１１全体を覆った状態で定着する。したがって、図２に示したように、旗本体１１全体を覆う防炎部２４が形成され、旗本体１１に防炎加工が施される。
【００２６】
最後に、所定の大きさに旗本体１１をヒートカットし、旗本体１１の外周の所定の位置にチチ部１２を取り付ける（ステップＳ１０５）。
【００２７】
以上のように、本実施の形態にかかるのぼり旗１の構成によれば、広告等を示す文字部２１と、光を反射する反射部２２と、を備える。このため、昼間においては、運転手は、文字部２１を認識し、広告等の内容を知ることができ、夜間閉店後においては、運転手は、自動車のヘッドライトに反射された反射部２２を認識し、広告等の存在を知ることができる。さらに、旗本体１１は、旗本体１１全体を防炎液に浸漬することにより、防炎加工されている。このため、消防法の基準を満たす防炎加工を施すことが可能となり、ガソリンスタンドにのぼり旗１を設置することが可能となる。
【００２８】
なお、文字部２１そのものを反射させてしまうと、光の反射面積が多くなり、かつ反射領域が密集してしまい、眩しすぎてしまう。その結果、運転手に不快感を与えると共に、運転手は、文字を読めず、広告内容を認識できない恐れもある。これに対して、本実施の形態にかかるのぼり旗１では、文字部２１そのものが反射するのではなく、文字部２１の周囲に沿って形成された反射部２２が反射する。つまり、文字部２１の輪郭が反射する。その結果、運転手が過度な反射光を受けることを防止でき、文字の視認性も向上させることができる。
【００２９】
なお、本発明は上記実施の形態に限られたものではなく、趣旨を逸脱しない範囲で適宜変更することが可能である。例えば、旗本体１１の形状は、矩形状に限られない。また、文字部２１、反射部２２、及び、影部２３のインクの色は、上述した実施の形態で説明した色に限られない。さらに、上記の実施の形態においては、ガソリンスタンドにおけるのぼり旗を例にして説明したが、本発明はこれに限られるものではない。例えば、コンビニエンスストアやパチンコ店、ファミリーレストラン、家電量販店等のロードサイド事業店舗において掲げられるのぼり旗としても使用することができる。加えて、道路における案内や注意喚起を示す道路標識としてののぼり旗としても使用することができる。
【符号の説明】
【００３０】
１  のぼり旗
１１  旗本体
１２  チチ部
２１  文字部
２２  反射部
２３  影部
２４  防炎部
【図１】
2015152849.tif 000003
【図２】
2015152849.tif 000004
【図３】
2015152849.tif 000005